(57)【要約】【課題】操作が簡単であり、かつトレイを中間位置で確実に停止させることができる光接続ユニットを提供する。【解決手段】引き出し可能なトレイ３が、トレイ収納部に多段に収納され、トレイ収納部に設けられた固定側レール３３が、固定側係止部３６と係合突起３７とを備え、トレイ３が、固定側レール３３に沿って移動する移動側レール６、７とを備え、移動側レール６、７が、係止穴２１を有する移動側基板２２とストッパ２３とを備え、係止穴２１は、トレイ３が収納位置と引出位置との中間位置にあるときに、係合突起３７に係止するように形成され、ストッパ２３は、中間位置において固定側係止部３６に係止するようになっている。【選択図】  図２
2005024986.tif 000002
【特許請求の範囲】
【請求項１】
光コネクタを接続する光コネクタハウジング（５）を有する引き出し可能なトレイ（３）が、トレイ収納部（２）に多段に収納された光接続ユニットであって、
前記トレイ収納部が、収納部本体（３１）と、該収納部本体に設けられた固定側レール（３３）とを有し、該固定側レールが、固定側基板（３４）と、固定側係止部（３６）と、前記基板から上方に突出する係合突起（３７）とを備え、
前記トレイが、トレイ本体（４）と、前記固定側レールに沿って固定側基板上を移動する移動側レール（６、７）とを備え、該移動側レールが、前記係合突起に係止可能な係止穴（２１）を有する移動側基板（２２）と、前記固定側係止部に係止可能なストッパ（２３）とを備え、
前記係止穴が、前記トレイが収納位置（Ａ）と引出位置（Ｃ）との中間位置（Ｂ）にあるときに、前記係合突起に係止するように形成され、
前記ストッパが、前記中間位置において固定側係止部に係止するようになっていることを特徴とする光接続ユニット。
【請求項２】
前記固定側レールが、トレイ収納部の両側部に設けられ、
前記移動側レールが、トレイ本体の両側部に設けられていることを特徴とする請求項１に記載の光接続ユニット。
【請求項３】
前記ストッパが、固定側係止部に係止するフック部（２９）を有するストッパ本体（２６）を備え、
このストッパ本体が、回転軸（２４）を中心として回動させることによって、固定側係止部に対するフック部の係止を解除することができるようになっていることを特徴とする請求項１または２に記載の光接続ユニット。
【請求項４】
前記ストッパ本体が、トレイ引出方向の略前方に延出する前方延出部（２７）を備え、該前方延出部の操作によりストッパ本体を回動させることによって、固定側係止部に対するフック部の係止を解除することができるようになっていることを特徴とする請求項３に記載の光接続ユニット。
【請求項５】
トレイがトレイ収納部に多段に収納された引き出し装置であって、
前記トレイ収納部が、収納部本体と、該収納部本体に設けられた固定側レールとを有し、該固定側レールが、固定側基板と、固定側係止部と、前記基板から上方に突出する係合突起とを備え、
前記トレイが、トレイ本体と、前記固定側レールに沿って固定側基板上を移動する移動側レールとを備え、該移動側レールが、前記係合突起に係止可能な係止穴を有する移動側基板と、前記固定側係止部に係止可能なストッパとを備え、
前記係止穴が、前記トレイが収納位置と引出位置との中間位置にあるときに、前記係合突起に係止するように形成され、
前記ストッパが、前記中間位置において固定側係止部に係止するようになっていることを特徴とする引き出し装置。
【発明の詳細な説明】
【０００１】
【発明の属する技術分野】
本発明は、光配線盤、光接続箱等の光接続ユニット、机、キャビネット、陳列棚、ワゴンなどに用いられる引き出し装置、およびこの引き出し装置を用いた引き出し式のトレイを有する光接続ユニットに関する。
【０００２】
【従来の技術】
従来、光コネクタ、融着接続部、多心単心分岐部、接続余長等を複数のトレイに整理してコンパクトに収納する光接続ユニットが知られている。
光接続ユニットでは、トレイを引き出した状態で光ファイバの融着接続、余長収納、光コネクタの接続などの作業が行われるが、作業の種類によっては、トレイを完全に引き出さなくても作業が可能となる場合がある。
例えば、初期工事において、トレイ奥側に配置した収納ケースなどで光ファイバの融着接続などの作業を行う場合には、トレイを完全に引き出す必要があるが、ジャンパコードなどをトレイ手前側の光アダプタにコネクタ接続する場合には、トレイを中間位置に配置すれば作業が可能である。
トレイを中間位置で停止させることができる光接続ユニットとしては、特許文献１に開示されたものがある。
【０００３】
【特許文献１】
登録実用新案第３０７１２７９号公報
【０００４】
図８に示す光接続ユニット５０は、光ファイバ接続収容トレイ１００が多段に積層された状態で枠体５１に収納された構造を有する。
光接続ユニット５０は、トレイ１００を摺動させるトレイスライド溝が設けられた複数のスライド部５０ａが、Ｌ字アングル５０ｂ、５０ｃに固定されて多段に設けられている。Ｌ字アングル５０ｃには、光ファイバケーブル１１０を挟持するクランプ部５０ｄが多段に取り付けられている。
トレイ１００は、枠体５１に対し引き出しおよび収納可能とされている。
光接続ユニット５０は、トレイ１００を完全に引き出した位置（引出位置）と収納位置との中間の位置で停止させるトレイロック部を備えている。
【０００５】
【発明が解決しようとする課題】
上記従来技術では、トレイを中間位置で停止させるトレイロック部の構造が複雑であるため、トレイを中間位置で停止させるための構造を簡略化し、その操作（ロック状態を解除する操作など）を容易にすることが望まれていた。
また、トレイを中間位置よりも引き出すと、トレイ上の光ファイバ（光アダプタに接続されたジャンパコードなど）に無理な力が加えられることがあるため、トレイを中間位置で確実に停止させることが要望されていた。
本発明は前記事情に鑑みてなされたもので、操作が簡単であり、かつトレイを中間位置で確実に停止させることができる光接続ユニットおよび引き出し装置を提供することを目的とする。
【０００６】
【課題を解決するための手段】
本発明の光接続ユニットは、光コネクタを接続する光コネクタハウジングを有する引き出し可能なトレイが、トレイ収納部に多段に収納された光接続ユニットであって、前記トレイ収納部が、収納部本体と、該収納部本体に設けられた固定側レールとを有し、該固定側レールが、固定側基板と、固定側係止部と、前記基板から上方に突出する係合突起とを備え、前記トレイが、トレイ本体と、前記固定側レールに沿って固定側基板上を移動する移動側レールとを備え、該移動側レールが、前記係合突起に係止可能な係止穴を有する移動側基板と、前記固定側係止部に係止可能なストッパとを備え、前記係止穴が、前記トレイが収納位置と引出位置との中間位置にあるときに、前記係合突起に係止するように形成され、前記ストッパが、前記中間位置において固定側係止部に係止するようになっていることを特徴とする。
固定側レールは、トレイ収納部の両側部に設けられていることが好ましく、移動側レールは、トレイ本体の両側部に設けられていることが好ましい。
【０００７】
本発明の光接続ユニットでは、前記ストッパが、固定側係止部に係止するフック部を有するストッパ本体を備え、このストッパ本体が、回転軸を中心として回動させることによって、固定側係止部に対するフック部の係止を解除することができるようになっていることが好ましい。
ストッパ本体は、トレイ引出方向の略前方に延出する前方延出部を備え、該前方延出部の操作によりストッパ本体を回動させることによって、固定側係止部に対するフック部の係止を解除することができるようになっていることが好ましい。
【０００８】
本発明の引き出し装置は、トレイがトレイ収納部に多段に収納された引き出し装置であって、前記トレイ収納部が、収納部本体と、該収納部本体に設けられた固定側レールとを有し、該固定側レールが、固定側基板と、固定側係止部と、前記基板から上方に突出する係合突起とを備え、前記トレイが、トレイ本体と、前記固定側レールに沿って固定側基板上を移動する移動側レールとを備え、該移動側レールが、前記係合突起に係止可能な係止穴を有する移動側基板と、前記固定側係止部に係止可能なストッパとを備え、前記係止穴が、前記トレイが収納位置と引出位置との中間位置にあるときに、前記係合突起に係止するように形成され、前記ストッパが、前記中間位置において固定側係止部に係止するようになっていることを特徴とする。
【０００９】
【発明の実施の形態】
以下、図面を参照して、本発明の引き出し装置の一例を採用した光接続ユニットについて説明する。
図１は、この光接続ユニットを示すもので、（ａ）は平面図であり、（ｂ）は側面図である。
図２は、この光接続ユニットのトレイを模式的に示す平面図である。
図３は、この光接続ユニットに用いられるトレイの移動側レールを模式的に示すもので、（ａ）は平面図であり、（ｂ）は側面図である。
図４は、この光接続ユニットの固定側レールを模式的に示すもので、（ａ）は平面図であり、（ｂ）は側面図である。
図５は、この光接続ユニットの移動側レールと固定側レールを模式的に示すもので、（ａ）は平面図であり、（ｂ）は側断面図である。
【００１０】
図１に示すように、光接続ユニット１は、トレイ収納部２内に複数のトレイ３が多段に積層されて収納されている。
図１および図２に示すように、トレイ３は、トレイ本体４と、トレイ本体４上に設けられた光コネクタハウジングである光アダプタ５（光コネクタアダプタ）と、トレイ本体４の一側部から側方に突出して設けられた第１移動側レール６と、トレイ本体４の他側部から側方に突出して設けられた第２移動側レール７とを備えている。
【００１１】
トレイ本体４は、トレイ基板１１と、トレイ基板１１の両側縁に立設された側板１２、１２（側部）と、前縁に立設された前板１３と、後縁に立設された後板１４とを備えている。
【００１２】
図２、図３および図５に示すように、第１移動側レール６は、係止穴２１を有する移動側基板２２と、ストッパ２３と、移動側基板２２の後端に立設された板状の移動側係止部２０とを備えている。
係止穴２１は、第１移動側レール６の長さ方向中間位置に形成されている。
【００１３】
ストッパ２３は、側板１２に設けられた回転軸２４に取り付けられた軸受部２５と、長板状のストッパ本体２６とを備えており、回転軸２４を中心として回動自在となっている。
ストッパ本体２６は、回転軸２４より略前方（図３における左方）に延出する前方延出部２７と、回転軸２４より略後方（図３における右方）に延びる後方延出部２８と、後方延出部２８の後端に設けられたフック部２９とを有する。フック部２９は、板状のストッパ本体２６の後端部が略下方に折り曲げられて形成されたものである。
ストッパ２３は、回転軸２４を中心としてストッパ本体２６を回動させることによって、フック部２９が上下動するようになっている。
ストッパ２３は、力が加えられていない状態では、フック部２９が移動側基板２２に達するまで右方（図３（ｂ）における右回り）に回動した状態となる。
【００１４】
第２移動側レール７は、係止穴２１を有する移動側基板２２を備えている。
係止穴２１は、第２移動側レール７の長さ方向中間位置に形成されている。
【００１５】
トレイ収納部２は、箱状の収納部本体３１と、収納部本体３１の両側板３２、３２の内面に設けられた固定側レール３３、３３とを備えている。
図２、図４および図５に示すように、固定側レール３３は、移動側レール６、７を摺動可能に支持するもので、固定側基板３４と、固定側基板３４の側縁に立設された側板３５と、側板３５の前部上端からトレイ収納部２に向けて基板３４に略平行に延びる板状の固定側係止部３６と、固定側基板３４の前部に設けられた係合突起３７とを備えている。
【００１６】
係合突起３７は、移動側レール６、７を位置決めするためのもので、固定側基板３４前部の上面に、上方に突出するように形成されている。
係合突起３７は、トレイ３が収納位置Ａ（トレイ収納部２に収納された位置）にあるときに、移動側基板２２の前端が当接し、かつトレイ３が中間位置Ｂ（後述）にあるときに、係止穴２１に係止するように形成されている。
【００１７】
トレイ本体４上には、光モジュール、光ファイバ接続部、光ファイバ余長部などの光部品を収納するための収納ケース８が載置されている。収納ケース８は、光アダプタ５より後方の位置に載置される。
【００１８】
トレイ３は、その用途に応じて光ファイバ、光コネクタハウジングである光アダプタ（光コネクタアダプタ）、光コネクタ、光カプラ、光スプリッタ、光接続部、余長収納ケース、光モジュール収納ケースなどの各種の部材等が収納される。
トレイ３は、それぞれが個別に引き出し可能に取り付けられ、目的とするトレイ３のみを引き出し可能になっている。
【００１９】
光アダプタ５に接続される光コネクタとしては、例えばＳＣ形光コネクタ（ＪＩＳ  Ｃ  ５９７３に制定されるもの等）（Ｓｉｎｇｌｅ  ｆｉｂｅｒ  Ｃｏｕｐｌｉｎｇ  ｏｐｔｉｃａｌ  ｆｉｂｅｒ  ｃｏｎｎｅｃｔｏｒ）、ＳＣ２形光コネクタ、ＭＵ形光コネクタ（ＪＩＳ  Ｃ  ５９８３に制定されるもの等）（Ｍｉｎｉａｔｕｒｅ−Ｕｎｉｔ  ｃｏｕｐｌｉｎｇ  ｏｐｔｉｃａｌ  ｆｉｂｅｒ  ｃｏｎｎｅｃｔｏｒ）、ＭＴ形光コネクタ（ＪＩＳ  Ｃ  ５９８１等に制定されるもの等）（Ｍｅｃｈａｎｉｃａｌｌｙ  Ｔｒａｎｓｆｅｒａｂｌｅ）等が採用される。また光アダプタ５（光コネクタアダプタ）は、使用する光コネクタを接続可能なものが採用される。
【００２０】
図１において、符号９は、光アダプタ５に接続される光ファイバが配線される配線領域であり、符号１０は、配線領域９に載置された示名条片である。示名条片１０は、トレイ３の保守のために必要な事項、例えば光ファイバに関する情報や回線番号などを記入できるようになっている。
【００２１】
次に、トレイ３の引き出し操作を、図１ないし図６を参照して説明する。
図１、図２および図５に示すように、トレイ３がトレイ収納部２に収納されているときには、移動側レール６、７の移動側基板２２の前端が、固定側レール３３の係合突起３７の側面に当接し、係止する。
移動側基板２２が係合突起３７に係止することよって、トレイ３の前方移動が阻止されるため、トレイ３は位置決めされる。以下、このトレイ３の位置を収納位置Ａという。
【００２２】
図６（ａ）に示すように、トレイ３を引き出す際には、移動側基板２２の前部が係合突起３７より高い位置になるまでトレイ３前部を持ち上げることによって、係合突起３７に対する移動側基板２２の係止を解除する。
この操作では、トレイ３前部をわずかに持ち上げるだけで、トレイ３は移動可能な状態となる。
この状態でトレイ３を前方に引き出す。これによって、移動側レール６、７は、固定側レール３３に沿って前方に移動する。この際、移動側レール６、７の移動側基板２２は、固定側レール３３の固定側基板３４上を、係合突起３７に乗り上げた状態で移動する。
【００２３】
図６（ｂ）に示すように、移動側レール６、７の係止穴２１が係合突起３７に達すると、トレイ３が自重で降下し、係合突起３７は、係止穴２１内に入り込んだ状態で係止穴２１に係止する。
この操作では、トレイ３の自重により自動的に係合突起３７と係止穴２１とが係止した状態となる。
【００２４】
上述のとおり、係止穴２１は移動側レール６、７の長さ方向中間位置に形成されているため、係合突起３７が係止穴２１に係止した状態では、トレイ３は収納位置Ａと引出位置Ｃ（後述）との中間に位置した状態となる。以下、このトレイ３の位置を中間位置Ｂという。
この中間位置Ｂでは、係合突起３７が係止穴２１に入り込んだ状態で係止するため、トレイ３は、前方にも後方にも移動しにくくなり、その位置に安定に留まる。
この中間位置Ｂでは、ストッパ２３のフック部２９が、固定側レール３３の固定側係止部３６に係止する。
【００２５】
光接続ユニット１では、トレイ３を中間位置Ｂに配置した状態で、光アダプタ５に対する光ファイバ（ジャンパコードなど）のコネクタ接続、配線領域９における光ファイバ配線の確認、示名条片１０の確認などの作業を行うことができる。
【００２６】
図６（ｃ）に示すように、上記中間位置Ｂからトレイ３をさらに引き出す際には、ストッパ本体２６の前方延出部２７を下方に押圧する操作によってストッパ２３を回動させ、フック部２９を上方移動させて固定側係止部３６に対する係止を解除する。
次いで、トレイ３前部を持ち上げ、係止穴２１に対する係合突起３７の係止を解除する。この状態でトレイ３を前方に引き出す。
【００２７】
図６（ｄ）に示すように、トレイ３のほぼ全体がトレイ収納部２外に引き出された状態となると、移動側レール６、７の移動側係止部２０が、固定側レール３３の固定側係止部３６に当接する。
このため、トレイ３はそれ以上の前方移動が阻止される。以下、このトレイ３の位置を引出位置Ｃという。
引出位置Ｃにおいては、収納ケース８における光ファイバの融着接続などの作業を行うことができる。
【００２８】
引出位置Ｃにあるトレイ３を再びトレイ収納部２に収納するには、トレイ３を後方に移動させる。
後方移動の過程では、ストッパ２３のフック部２９が固定側係止部３６に当たるのを避けるため、前方延出部２７を下方に押圧してストッパ２３を回動させ、フック部２９を上方移動させる。
トレイ３が上記中間位置Ｂに達すると、トレイ３が自重で降下して係合突起３７が係止穴２１に係止し、トレイ３が位置決めされる。
次いで、トレイ３前部を持ち上げ、係止穴２１に対する係合突起３７の係止を解除した後、トレイ３を収納位置Ａまで後方移動させる。
【００２９】
図７は、トレイ３の外観を詳細に示す図である。
この図に示すように、光接続ユニット１では、複数のトレイ３のうち目的のものだけを選択して引き出すことができる。
【００３０】
上記光接続ユニット１では、次の効果が得られる。
（１）光接続ユニット１では、移動側レール６、７が固定側基板３４上を移動するようにされ、中間位置Ｂで係合突起３７が係止穴２１に係止するようにされている。
このため、トレイ３が中間位置Ｂに達すると、移動側レール６、７はトレイ３の自重によって降下し、自動的に係止穴２１と係合突起３７とが係止した状態となる。
また、トレイ３をわずかに持ち上げる簡単な操作によって、係合突起３７と係止穴２１との係止を解除することができる。
従って、中間位置Ｂにおいてトレイ３を位置決めする操作、およびトレイ３を中間位置Ｂから移動させる操作を簡単に行うことができる。
（２）中間位置Ｂにおいて、係合突起３７が係止穴２１に入り込んだ状態で係止するため、トレイ３は、前方にも後方にも移動しにくく、その位置に安定に留まる。
従って、中間位置Ｂにおいてトレイ３を安定に位置決めすることができ、接続作業などの際の作業性を向上させることができる。
（３）移動側レール６、７に形成された係止穴２１と、固定側レール３３に形成された係合突起３７とが係止することによってトレイ３が位置決めされるので、トレイ３を中間位置Ｂで停止させるための構造を簡略化することができる。従って、トレイ３の薄型化が可能である。
（４）固定側係止部３６に係止するストッパ２３を有するので、トレイ３が勢いよく引き出された場合でも、トレイ３を中間位置Ｂで確実に停止させることができる。
このため、トレイ３が誤って中間位置Ｂより引き出されてしまうのを防ぐことができる。
従って、光アダプタ５に接続された光ファイバ（ジャンパコードなど）に無理な力が加えられるのを防ぐことができる。
（５）固定側レール３３がトレイ収納部２の両側板１２に設けられ、移動側レール６、７がトレイ本体４の両側部に設けられているので、トレイ３の両側部において係合突起３７を係止穴２１に係止させることができる。
従って、中間位置Ｂにおいてトレイ３を安定に位置決めし、がたつきを防ぐことができる。
（６）ストッパ２３が、固定側係止部３６に係止するフック部２９を有し、回動によりフック部２９の係止を解除することができる構成であるので、トレイ３を中間位置Ｂで停止させるための構造を簡略化するとともに、その操作を容易にすることができる。
（７）ストッパ２３が、前方延出部２７を操作してストッパ本体２６を回動させることによって、固定側係止部３６に対するフック部２９の係止を解除可能であるので、簡単な操作によってトレイ３を移動可能な状態とすることができる。
従って、操作性の点で優れている。
【００３１】
なお、本発明の構成は、光接続ユニットに限らず、机、キャビネット、陳列棚、ワゴンなどに用いられる引き出し装置に適用することができる。
【００３２】
【発明の効果】
本発明の光接続ユニットは、次の効果を奏する。
（１）移動側レールが固定側基板上を移動するようにされ、中間位置で係合突起が係止穴に係止するようにされているので、トレイが中間位置に達すると、移動側レールはトレイの自重によって降下し、自動的に係止穴と係合突起とが係止した状態となる。
また、トレイをわずかに持ち上げる簡単な操作によって、係合突起と係止穴との係止を解除することができる。
従って、中間位置においてトレイを位置決めする操作、およびトレイを中間位置から移動させる操作を簡単に行うことができる。
（２）中間位置において、係合突起が係止穴に入り込んだ状態で係止するため、トレイを安定に位置決めすることができ、接続作業などの際の作業性を向上させることができる。
（３）係止穴と係合突起とが係止することによってトレイが位置決めされるので、トレイを中間位置で停止させるための構造を簡略化することができる。
（４）固定側係止部に係止するストッパを有するので、トレイが勢いよく引き出された場合でも、トレイを中間位置で確実に停止させることができる。
このため、トレイが誤って中間位置より引き出されてしまうのを防ぐことができる。
従って、トレイ上の光ファイバに無理な力が加えられるのを防ぐことができる。
（５）固定側レールがトレイ収納部の両側部に設けられ、移動側レールがトレイ本体の両側部に設けられた構成によれば、トレイの両側部において係合突起を係止穴に係止させることができる。
従って、トレイを安定に位置決めし、がたつきを防ぐことができる。
（６）ストッパが、固定側係止部に係止するフック部を有し、回動によりフック部の係止を解除することができる構成によれば、トレイを中間位置で停止させるための構造を簡略化するとともに、その操作を容易にすることができる。
（７）前方延出部を操作してストッパ本体を回動させることによって、固定側係止部に対するフック部の係止が解除される構成によれば、簡単な操作によってトレイを移動可能な状態とすることができる。従って、操作性の点で優れている。
【図面の簡単な説明】
【図１】本発明の光接続ユニットの一形態を示す図であり、（ａ）は平面図であり、（ｂ）は側面図である。
【図２】図１に示す光接続ユニットのトレイを模式的に示す平面図である。
【図３】図１に示す光接続ユニットに用いられるトレイの移動側レールを模式的に示すもので、（ａ）は平面図であり、（ｂ）は側面図である。
【図４】図１に示す光接続ユニットの固定側レールを模式的に示すもので、（ａ）は平面図であり、（ｂ）は側面図である。
【図５】図１に示す光接続ユニットの移動側レールと固定側レールを模式的に示すもので、（ａ）は平面図であり、（ｂ）は側断面図である。
【図６】図１に示す光接続ユニットのトレイの動作を示す模式図である。
【図７】図１に示す光接続ユニットのトレイの動作を示す模式図である。
【図８】従来の光接続ユニットの一例を示す正面図である。
【符号の説明】
１・・・光接続ユニット（引き出し装置）、２・・・トレイ収納部、３・・・トレイ、４・・・トレイ本体、５・・・光アダプタ（光コネクタハウジング）、６、７・・・移動側レール、２１・・・係止穴、２２・・・移動側基板、２３・・・ストッパ、２４・・・回転軸、２６・・・ストッパ本体、２７・・・前方延出部、２８・・・後方延出部、２９・・・フック部、３１・・・収納部本体、３３・・・固定側レール、３４・・・固定側基板、３６・・・固定側係止部、３７・・・係合突起、Ａ・・・収納位置、Ｂ・・・中間位置、Ｃ・・・引出位置
【図１】
2005024986.tif 000003
【図２】
2005024986.tif 000004
【図３】
2005024986.tif 000005
【図４】
2005024986.tif 000006
【図５】
2005024986.tif 000007
【図６】
2005024986.tif 000008
【図７】
2005024986.tif 000009
【図８】
2005024986.tif 000010